(57)【特許請求の範囲】
【請求項１】
基板と、前記基板に設けられた情報記録領域と、前記基板中央に設けられた貫通孔と、前記貫通孔の周囲に前記基板よりも突出して設けられたクランピングエリアと、前記クランピングエリア内にあり再生機によって再生時に保持される保持部と、前記基板のクランピングエリア突出側と対向する面に保護突起とを有する光記録媒体において、
前記クランピングエリア突出側と対向する面にある保護突起が、前記保持部の外周側端周よりも外側で、かつ、クランピングエリアの水平方向端外周よりも内側の範囲に設けられたことを特徴とする光記録媒体。
【請求項２】
前記保護突起が、前記保持部の外周側端周とクランピングエリアの水平方向端周との略中央に設けられたことを特徴とする請求項１記載の光記録媒体。
【請求項３】
前記保護突起が、前記保持部の外周側端周の近傍に設けられたことを特徴とする請求項１記載の光記録媒体。
【請求項４】
前記クランピングエリアの形状が、前記基板に直行する方向から見て略円状であることを特徴とする請求項１乃至請求項３の何れか記載の光記録媒体。
【発明の詳細な説明】
【０００１】
【発明の属する技術分野】
本発明は、光記録媒体に関し、更に詳細には、光記録媒体の読み取り面に設ける保護突起に関する。
【０００２】
【従来の技術】
従来より、例えばＪＩＳＸ６２４１に定められる１２０ｍｍＤＶＤ再生専用ディスクのような、光記録媒体がある。これは、ポリカーボネートなどの透明樹脂からなる円盤状のディスク基板と、基板中央に設けられた貫通孔と、貫通孔の周囲に設けれらたクランピングエリアと、クランピングエリアの外周側に情報が記録された情報記録領域とによって構成されている。このように構成された光記録媒体に記録されている情報を再生するためには、情報記録領域が設けられている面（以下、情報記録面とする）と対向する面（以下、読み取り面とする）より、読取用光を入射することで可能となる。
【０００３】
したがって、読み取り面に傷が付いてしまうと、記録されている情報を正確に読み取ることが困難になってしまう。読み取り面に傷が付く場合には、例えば、光記録媒を使用する際や、光記録媒体を製造する際が考えられる。光記録媒体を使用する際には、再生機にかけるため、一度ケースから取り外さなければならない。この時、光記録媒体を何処にも置くことなく、再生機にかけることができれば問題はないのであるが、例えば、すでに再生機にかけられていた光記録媒体と交換しなければならないとき等は、一時、次にかける光記録媒体を机の上等に仮置きしなければならない状況が生じてくる。読み取り面に保護突起が設けられていない光光記録媒体を、机の上等に読み取り面を下にして置いた場合、机の上等にすでにあった埃等によって読み取り面に傷が付くことがあり、このことによって情報がうまく読み取れなくなってしまうことが生じてしまう。また、光記録媒体を製造する際には、各工程において、できあがった光記録媒体を相互に積み重ねてゆくのが一般的である。この時、重なる光記録媒体の読み取り面と重ねられる光記録媒体の情報記録面が接触してしまうと、互いにこすれ合ったり、空気中の埃をその間に挟んでしまったりすることによって読み取り面に傷が付いてしまう。
【０００４】
したがって、光記録媒体の読み取り面には保護突起が設けられており、この保護突起によって、読み取り面に傷が付くのを防いでいる。すなわち、読み取り面を下にして机等の上に置いた場合も、他の光記録媒体と重ねた場合も、この保護突起によって、読み取り面と机等との間に、又は、他の光記録媒体との間に隙間を作ることが可能になる。その結果、読み取り面が直接接触しなくなるため、読み取り面に傷が付くことを防ぐことが可能となる。
【０００５】
また、保護突起は、読み取り面に傷が付くことを防ぐだけでなく、光記録媒体を相互に重ねた場合、クランピングエリアに傷が付くことを防ぐ役割も果たしている。クランピングエリア内には、再生時等に再生機等によって保持される部分があり、この部分に傷が付いてしまうと、高速回転に悪影響を及ぼしてしまうことがある。したがって、保持部には傷がないことが好ましく、更には、保持部を含んでクランピングエリア全体に傷がないことが好ましい。保護突起を設けることにより、光記録媒体を相互に重ねた時に、重なる光記録媒体の読み取り面と重ねられる光記録媒体の情報記録面との間に隙間を設けることが可能となるので、重ねられる光記録媒体のクランピングエリアが重なる光記録媒体の読み取り面と接触しなくなる。この結果、重ねられる光記録媒体のクランピングエリアに傷が付くことを防ぐことが可能となる。
【０００６】
したがって、読み取り面に設けられた保護突起は、光記録媒体の製造時、及び、使用時に、読み取り面を保護するという重要な役割を果たしている。
【０００７】
一方、近年、本願出願による特許文献１や特許文献２が開示している光記録媒体のように、２枚貼り合わせていない光記録媒体が出ている。これらは、前述したような２枚貼り合わせの光記録媒体が、２枚貼り合わせるという構造を採用しているため、一体形成で製造する場合に対して貼り合わせ工程分のコストが増加するという問題点を解決したものである。これらの２枚貼り合わせでない一体形成で製造された光記録媒体の構造は、前述した２枚貼り合わせの構造と殆ど同じであるが、再生機との互換性を保つために、クランピングエリアを基板よりも突出させている。従来のように、２枚貼り合わせの光記録媒体では、クランピングエリアと情報記録面との高さは同じであったため、読み取り面に設ける保護突起はどの位置に設けても、読み取り面に傷が付くことを防ぐことが可能であった。しかし、特許文献１や特許文献２が開示している光記録媒体のように、２枚の基板を貼り合わせていない光記録媒体では、クランピングエリアが基板よりも突出しているため、保護突起を設ける位置によっては、保護突起が読み取り面に傷が付くことを防ぐ役割を果たさなくなってしまう場合も生じてくる。例えば、意匠文献１には、クランピングエリアを基板よりも突出させ、更に、クランピングエリア突出面に対向する面に保護突起を設けたものが開示されている。しかし、意匠文献１は、光記録媒体単体を机の上等に置く場合は読み取り面に傷が付くことを防ぐことが可能であるが、光記録媒体を互いに重ね合わせると読み取り面、又は、クランピングエリアに傷が付いてしまうという問題を有していた。すなわち、意匠文献１では、保護突起が、基板よりも突出したクランピングエリアの外周よりも外側に設けられているため、光記録媒体を互いに重ね合わせると、重なる光記録媒体の読み取り面の一部が重ねられる光記録媒体のクランピングエリアと接触してしまい、その結果、当該重なった部分に傷が付いてしまうという問題を有していた。この問題は製造時において特に重要である。すなわち、このように接触してしまう場合では、読み取り面に傷が付かないようにするために、できあがった光記録媒体と光記録媒体の間に仕切りを設ける必要が生じてくるため、製造コストを上げる要因となっていた。
【０００８】
【特許文献１】
特願２００２−２６８２４８号
【特許文献２】
特開２００１−３０７３７８号公報
【意匠文献１】
意匠登録１１１３１５４号
【０００９】
【発明が解決しようとする課題】
そこで、本願発明はこのような問題点を解決するためになされたものであり、その課題とするところは、光記録媒体を互いに重ね合わせても、読み取り面、又は、クランピングエリアに傷が付かない光記録媒体を提示することにある。
【００１０】
【課題を解決するための手段】
上記課題を解決するため本願発明の請求項１は、基板と、前記基板に設けられた情報記録領域と、前記基板中央に設けられた貫通孔と、前記貫通孔の周囲に前記基板よりも突出して設けられたクランピングエリアと、前記クランピングエリア内にあり再生機によって再生時に保持される保持部と、前記基板のクランピングエリア突出側と対向する面に保護突起とを有する光記録媒体において、前記クランピングエリア突出側と対向する面にある保護突起が、前記保持部の外周側端周よりも外側で、かつ、クランピングエリアの水平方向端外周よりも内側の範囲に設けられたことを特徴とする光記録媒体である。
【００１１】
すなわち、請求項１によれば、保護突起が、保持部の外周側端周よりも外側で、かつ、クランピングエリアの水平方向端外周よりも内側の範囲に設けられているため、光記録媒体を互いに重ね合わせても、保護突起によって、重ねる光記録媒体の読み取り面と重ねられる光記録媒体のクランピングエリアが接触することを防ぐことが可能となり、その結果、クランピングエリアに傷が付くことを防ぐことが可能となる。
【００１２】
更に、基板よりも一段高くなっているクランピングエリアに保護突起が接触するため、重なる光記録媒体の読み取り面と、重ねられる光記録媒体の情報記録面によってできる隙間をより大きく取ることが可能になる。このことにより、空気中の埃がこの隙間に入ってしまっても、隙間が大きいために、入ってしまった埃を出やすくすることが可能となる。つまり、重なる光記録媒体の読み取り面と、重ねられる光記録媒体の情報記録面によってできる隙間に埃が残留してしまうと、光記録媒体を積み重ねたものが何かの拍子に傾いたときに、残留した埃が動き、重なる光記録媒体の読み取り面に傷をつけてしまう場合がある。請求項１記載の発明によれば、この隙間に埃が残留することを防ぐことができるので、読み取り面に傷が付くことを防ぐことをより一層防ぐことが可能となる。
【００１３】
ここで、再生機によって保持される保持部とは、クランピングエリア内に設けられる領域であり、光記録媒体の中心をその中心として直系２２ｍｍから３３ｍｍの環状の領域である。また、クランピングゾーンとしてＪＩＳＸ６２４１に定義されている。
【００１４】
また、光記録媒体とは、レーザー光の照射によって再生や記録を行う記録媒体であり、基板にデジタル情報で構成された信号の微小な凹凸を設け、その上に記録膜あるいは反射膜などの膜が積層されたものである。具体的には、例えば、ＣＤやＤＶＤなどがあり、更に詳しくは、ＣＤではＣＤ−ＲやＣＤ−ＲＷなどがあり、ＤＶＤでは、ＤＶＤ−Ｒ、ＤＶＤ−ＲＡＭ、ＤＶＤ−ＲＷ等がある。別段これらに限定する必要はなく、レーザー光の照射によって、再生や、記録・再生を行うことができる記録媒体が該当する。また、形状は、いずれの形をしていても上記構造であれば、全て光記録媒体に該当する。例えば、従来通りの円盤状のものや、近年新たに出てきているカード状のもの等がある。
【００１５】
また、本願発明の請求項２は前記保護突起が、前記保持部の外周側端周とクランピングエリアの水平方向端外周との略中央に設けられたことを特徴とする請求項１記載の光記録媒体である。
【００１６】
すなわち、本願発明の請求項２によれば、保護突起が、保持部の外周側端周とクランピングエリアの水平方向端外周との略中央に設けらているので、製造時において、重なる光記録媒体の読み取り面と重ねられる光記録媒体のクランピングエリアとが重なってしまうことを安定して防ぐことが可能となる。すなわち、製造時において、保護突起が左右に多少ずれてしまう場合も考えられ、例えば、保護突起が情報記録領域側にずれてしまった場合では、光記録媒体を相互に重ねた際に読み取り面と情報記録面が接触してしまい、読み取り面に傷が付いてしまうことも考えられる。したがって、保護突起を保持部の外周側端周とクランピングエリア水平方向端外周の略中央に設けることにより、製造時において少々の誤差により保護突起が左右にずれてしまっても、読み取り面に傷が付くことを防ぐことができるようになる。
【００１７】
また、本願発明の請求項３は、前記保護突起が、前記保持部の外周側端周の近傍に設けられたことを特徴とする請求項１記載の光記録媒体である。
【００１８】
すなわち、本願発明の請求項３によれば、保護突起が、保持部の外周側端周の近傍に設けられているため、情報記録領域の開始部において樹脂の特性の変質を少なくすることが可能となる。すなわち、一体形成によって保護突起を設ける際に、保護突起の周辺において樹脂の特性が変質してしまうことが考えられ、その結果、当該部分の複屈折が基準値の１００を超えてしまい、その部分の情報を読み取ることが困難となってしまうことが考えられる。したがって、本願発明の請求項３記載のように、保護突起を情報記録領域よりも遠い部分に設けることによって、情報記録領域の開始部において、樹脂の流れの乱れによる樹脂の特性の変質を少なくすることが可能となる。なお、複屈折とは光の縦波と横波の位相の差であり、例えばＪＩＳＸ６２４１においては、１２．５において基準値を１００ｎｍと定め、その測定方法については「付属書Ｂ複屈折の測定」において定めている。
【００１９】
更に、本願発明の請求項３によれば、保護突起が、保持部の外周側端周の近傍に設けられているため、光記録媒体を重ねる際に生じる光記録媒体同士のずれによって、重なる光記録媒体の読み取り面と重ねられる光記録媒体の情報記録面とが接触してしまうことを防ぐことが可能となる。すなわち、製造時において光記録媒体を順に重ねてゆく際に、光記録媒体が多少左右にずれることも考えられ、このようにずれてしまうと、重なる光記録媒体の保護突起が、重ねられる光記録媒体のクランピングエリアに接触しなくなってしまい、その結果、読み取り面と情報記録面が接触してしまう場合も考えられる。本願発明の請求項３によれば、保護突起を保持部の外周側端周の近傍に設けているため、左右に多少ずれたとしても、保護突起がクランピングエリアを外れてクランピング以外の部分と接触することを防ぐことができるようになり、その結果、読み取り面やクランピングエリアに傷が付くことを防ぐことが可能となる。
【００２０】
【発明の実施の形態】
以下、本願発明を図面に基づき詳細に説明する。
図１は、本願発明における光記録媒体の断面図であり、図２はクランピングエリア周辺の拡大断面図である。
図１、及び、図２において、１は光記録媒体、２は基板、３は貫通孔、４は光記録媒体中心、５はクランピングエリア、６はクランピングエリア水平方向端外周、７は情報記録領域、８は情報記録領域７の開始部、９は保護突起、１０は保護突起９の中心、１１は読み取り用光、１２は基板２の厚さ、１３はクランピングエリア５の厚さ、１４は情報記録面、１５は読み取り面、１６は保持部１８の内周側端周、１７は保持部１８の外周側端周、１８は保持部、１９は保持部の外周側端周１７とクランピングエリア水平方向端外周６との間隔、２０は保護突起９の幅、２１は保護突起９の高さ、２２は保持部の外周側端周１７とクランピングエリア水平方向端外周６との略中央である。
【００２１】
図１において、光記録媒体１は、基板２と、基板２中央に設けられた貫通孔３と、貫通孔３の周囲に基板２よりも突出して設けられたクランピングエリア５と、クランピングエリア５外周側に情報が記録された情報記録領域７とによって構成されている。また、本実施の形態では、光記録媒体１の基板２の厚さ１２は０．６ｍｍであり、クランピングエリア５の厚さ１３は１．２ｍｍである。情報記録面１４は、情報記録領域７が設けられている面であり、また、読み取り面１５は情報記録面１４と対向する面である。光記録媒体１に情報を書きこみ、若しくは、再生するためには、この読み取り面１５から読み取り用光１１を入射することで可能となる。情報記録領域７の開始部８は、リードインゾーンとも言われ、情報記録領域７の開始部分である。
【００２２】
クランピングエリア５は、基板２よりも突出して設けられており、このように、クランピングエリア５を基板２よりも突出されることによって２枚貼り合わせの光記録媒体との互換性を保っている。また、保持部１８は、クランピングエリア５内にある、再生時、若しくは、書きこみ時にクランプ装置機構によってクランプ力が加わる部分であり、この保持部１８には凹凸を設けることはできない。図１において保持部１８は、保持部１８の内周側端周１６と保持部１８の外周側端周１７によって囲まれた環状の領域である。また、クランピングエリア５の水平方向端外周６は、基板２よりも突出したクランピングエリア５のうち、情報記録領域７側の水平方向の端の周である。
【００２３】
保持部の外周側端周１７とクランピングエリア水平方向端外周６との間隔１９は保護突起９を設けることができる範囲である。保護突起９を、保持部の外周側端周１７とクランピングエリア水平方向端外周６との間隔１９に設けることによって、光記録媒体１を相互に重ねた場合でも、重ねた光記録媒体１の読み取り面１５と重ねられた別の光記録媒体１のクランピングエリア５とが接触することを防ぐことが可能となり、その結果、読み取り面１５もクランピングエリア５も、共に傷が付いてしまうことを防ぐことが可能となる。
【００２４】
更に、本実施の形態では、保護突起９は、読み取り面１５にあり、かつ、保持部の外周側端周１７とクランピングエリア水平方向端外周６との略中央２２に設けられている。また、保護突起９の断面は、横軸が縦軸よりも長い楕円を横軸で上下に切断した時の下半円の形をしている。つまり、保護突起９を断面から見た場合の楕円の下半円の外周上の中心を保護突起９の中心１０とすると、保護突起９は、この保護突起９の中心１０が、保持部の外周側端周１７とクランピングエリア水平方向端外周６との略中央に重なるように周状に設けられている。
【００２５】
本実施の形態のように、保護突起９を、保持部の外周側端周１７とクランピングエリア水平方向端周６の略中央２２に設けることによって、製造時において、重なる光記録媒体１の読み取り面１５と重ねられる別の光記録媒体１のクランピングエリア５とが重なってしまうことを安定して防ぐことが可能となる。すなわち、製造時において、保護突起９が左右に多少ずれてしまう場合も考えられ、例えば、保護突起９が情報記録領域側７にずれてしまった場合では、光記録媒体１を相互に重ねた際に、読み取り面１５と情報記録面１４が接触してしまい、読み取り面１５に傷が付いてしまうことも考えられる。したがって、保護突起９を保持部の外周側端周１７とクランピングエリア水平方向端周６の略中央２２に設けることにより、製造時において、少々の誤差により保護突起９が左右にずれてしまっても、読み取り面１５に傷が付くことを防ぐことができるようになる。
【００２６】
また、前述したように、保護突起９は、断面的に見ると横軸が縦軸よりも長い楕円を横軸で上下に切断した時の下半円の形をしている。また、その横軸、すなわち、保護突起９の幅２０は０．９ｍｍから１．１ｍｍである。また、その縦軸の半分の長さ、すなわち、保護突起９の高さ２１は、０．２３ｍｍから０．２５ｍｍである。別段これに限定する必要はなく、任意の数値を採用することができる。例えば、保護突起９の幅２０は０．８ｍｍから１．３ｍｍの間であれば、保持部１８を略規格（例えば、ＪＩＳＸ６２４１）に適した大きさに設けることが可能になるので好ましく、更には、０．９ｍｍから１．１ｍｍにすれば、保持部１８を規格どおりに設けることが可能となることに加え、安定して相互に重ねることが可能となるので好ましい。また、保護突起９の高さ２１も任意の数値を採用することが可能であるが、本実施の形態が採用した寸法にすることによって、規格に外れることなく生産することが可能である。
【００２７】
また、本実施の形態では、保護突起９の形は、断面から見た場合に、楕円の下半分の形であるが、これに限定する必要はなく、任意の形状を採用することができる。例えば、断面から見た場合に、正方形や台形等をした保護突起を設けることもできる。また、本実施の形態のように周状に設けるということに限定する必要はなく、任意の形状を採用することができる。例えば、分断された点の集まりでもよいし、更に極端には、３つの点のみで設けることも可能である。保護突起９を３つの点によって設ける際には、均等に配置した方が、より安定させることが可能となる。
【００２８】
また、本実施の形態では基板２の厚み１２を０．６ｍｍ、クランピングエリア５の厚み１３を１．２ｍｍとしたが、これに限定する必要はなく、クランピングエリア５の厚み１３は、０．９ｍｍから１．２ｍｍの間であれば、いずれの厚みにしてもよい。また、基板２とクランピングエリア５は、ポリカーボネート等の公知の樹脂等を採用し、一体形成等の公知の製造方法を採用することにより製造することが可能である。
【００２９】
また、本実施の形態のように、保護突起９を、保持部の外周側端周１７とクランピングエリア水平方向端外周６との略中央２２に設けることに限定する必要はなく、保持部の外周側端周１７とクランピングエリア水平方向端外周６との間１９であれば何処にでも設けることが可能である。ここで、保護突起９を設けることが可能な範囲を更に詳しく説明する。まず、クランピングエリア水平方向端外周側６では、重なる光記録媒体１の保護突起９が、重ねられる別の光記録媒体１のクランピングエリア水平方向端外周６と接することができる周、又は、点までである。これは設ける保護突起９の断面の形状によって変わってくるものであり、例えば、本実施の形態のように、その断面が略楕円を横軸で切った下半分の形で、かつ、周状に設けられた保護突起９あれば、楕円の下半円の外周上の略中心、すなわち保護突起９の中心１０が、重ねられる別の光記録媒体１のクランピングエリア水平方向端外周６と接する。したがって、この場合の保護突起９を設けることができる水平方向端外周６側の最大の範囲は、保護突起の略中央がクランピングエリア水平方向端外周と略一致する周までの範囲ということになる。また、例えば保護突起９の断面が正方形になるように周状に設けた場合は、保護突起９の下面一面が重ねられる光記録媒体１のクランピングエリア５と接触することが可能となるので、保護突起９を基板２に対して垂直に見た場合の内周がクランピングエリア水平方向外周６と接する周までの範囲ということになる。逆に、保持部の外周側端周１７側では、保護突起９をどのような形にしようと、保持部１８には凹凸を設けてはならないため、保護突起９が保持部の外周側端周１７に接しない範囲ということになる。
【００３０】
図３は別の実施の形態を示すクランピングエリア周辺の拡大断面図である。
図３において、図２と同じ番号を付した部分は同じ構造を有しているため説明を割愛し、３０は保護突起、３１は保護突起断面外周上保持部側端点、３２は保護突起３０の幅、３３は保護突起３０の高さである。
【００３１】
図３において、保護突起３０は、断面から見ると横軸が縦軸よりも長い楕円を横軸で上下に切断した時の下半円の形をしており、保持部の外周側端周１７の近傍に設けられている。また、保護突起断面外周上保持部側端点３１は、保護突起３０を断面から見たときの外周と基板２に対して垂直な直線との接点のうち、保持部１８側の点である。すなわち、保護突起３０は、保護突起外周上保持部側端点３１が保持部の外周側端周１７と接するように設けられている。また、保護突起３０の幅３２は０．９ｍｍから１．１ｍｍであり、保護突起３０の高さ３３は、０．２３ｍｍから０．２５ｍｍである。別段これに限定する必要はなく、任意の数値を採用することができる。例えば、保護突起の幅３２は０．８ｍｍから１．３ｍｍの間であれば、保持部１８を略規格（例えば、ＪＩＳＸ６２４１）に適した大きさに設けることが可能になるので好ましく、更には、０．９ｍｍから１．１ｍｍにすれば、保持部１８を規格どおりに設けることが可能となることに加え、安定して相互に重ねることが可能となるので好ましい。また、保護突起３０の高さ３３も任意の数値を採用することが可能であるが、本実施の形態が採用した寸法にすることによって、規格に外れることなく生産することが可能である。
【００３２】
また、本実施の形態のように、保護突起３０を保持部の外周側端周１７の近傍に設けることよって、情報記録領域７の開始部８において樹脂の特性の変質を少なくすることが可能となる。すなわち、一体形成によって保護突起３０を設ける際に、保護突起３０の周辺において樹脂の特性が変質してしまうことが考えられる。その結果、当該部分の複屈折が基準値の１００を超えてしまい、その部分の情報を読み取ることが困難となってしまうことが考えられる。したがって、本実施の形態のように、保護突起３０を情報記録領域７よりも遠い部分に設けることによって、情報記録領域７の開始部８において、樹脂の流れの乱れによる樹脂の特性の変質を少なくすることが可能となる。
【００３３】
更に、本実施の形態のように、保護突起３０を、保持部１８の外周側端周１７の近傍に設けることおによって、光記録媒体を相互に重ねる際に生じる光記録媒体同士のずれによる、重なる光記録媒体の読み取り面１５と重ねられる別の光記録媒体の情報記録面１４とが接触してしまうことを防ぐことが可能となる。すなわち、製造時において光記録媒体を順に重ねてゆく際に、光記録媒体が多少左右にずれることも考えられ、このようにずれてしまうと、重なる光記録媒体の保護突起が、重ねられる別の光記録媒体のクランピングエリアに接触しなくなってしまい、その結果、読み取り面１５と情報記録面１４が接触してしまう場合も考えられる。本実施の形態によれば、保護突起３０を保持部１８の外周側端周１７の近傍に設けているため、左右に多少ずれたとしても、保護突起３０がクランピングエリアを外れてクランピング以外の部分と接触することを防ぐことができるようになり、その結果、読み取り面やクランピングエリアに傷が付くことを防ぐことが可能となる。
【００３４】
なお、近傍とは、保護突起断面外周上保持部側端点３１が保持部１８の外周側端周１７に接することが好ましいが、これに限定するわけではなく、なるべく情報記録領域の開始部８よりも保護突起３１を遠ざけることができる位置であれば、任意の位置を採用することが可能である。
【００３５】
図４は、本願発明の光記録媒体を相互に重ねた場合を表した断面図である。
図４において、４１は重なる光記録媒体、４２は重ねられる光記録媒体、４３は情報記録領域、４４は重なる光記録媒体４１の読み取り面、４５は重ねられる光記録媒体の情報記録面、４６は重なる光記録媒体４１の保護突起、４７は重ねられる光記録媒体４２の保護突起、４８は重ねられる光記録媒体４２のクランピングエリア、４９は貫通孔、５０は光記録媒体の中心、５１はクランピングエリアの隙間、５２は情報記録領域の隙間である。
【００３６】
図４において、保護突起４６、４７は、図示しない保持部の外周よりも外側で、かつ、クランピングエリア水平方向端外周よりも内側に設けられており、このように保護突起４６、４７が設けられた光記録媒体が、それぞれの光記録媒体の中心５０が直線状に並ぶように上下に重ねられている。このとき、重なる光記録媒体４１の保護突起４６は、重ねられる光記録媒体４２のクランピングエリア４８と接触するため、重なる光記録媒体４１の読み取り面４４と重ねられる光記録媒体４２のクランピングエリア４８とが接触することはない。また、クランピングエリアの隙間５１は光記録媒体を相互重ねた場合に、重なる光記録媒体４１の読み取り面４４と重ねられる光記録媒体４２のクランピングエリア４５との間に、重なる光記録媒体４１の保護突起４６によってできる隙間であり、本実施の形態では、重なる光記録媒体４１の保護突起４６の高さの分、すなわち、０．２３ｍｍから０．２５ｍｍほどの隙間である。また、情報記録領域の隙間５２は、光記録媒体を相互に重ねた場合、重なる光記録媒体４１の読み取り面４４と重ねられる光記録媒体４２の情報記録面４５との間に、重なる光記録媒体４１の保護突起４６と重ねられる光記録媒体４２のクランピングエリア４８とによってできる隙間であり、本実施の形態では、６．２３ｍｍから６．２５ｍｍほどの隙間である。このように本願発明では、生産工程において光記録媒体を順に重ねた場合でも、保持部の外周よりも外側で、かつ、クランピングエリア水平方向端外周よりも内側に設けられた保護突起４６、４７によって、このように隙間を設けることが可能となり、その結果、クランピングエリアも傷が付くことを防ぐことが可能となる。
【００３７】
更に、基板よりも一段高くなっているクランピングエリアに保護突起４６、４７が接触するため、情報記録領域の隙間５２をより大きく取ることが可能になる。このことにより、空気中の埃がこの情報記録領域の隙間５２に入ってしまっても、隙間５２が大きいために、入ってしまった埃を出やすくすることが可能となる。つまり、この情報記録領域の隙間５２に埃が残留してしまうと、光記録媒体を相互に積み重ねたものが何かの拍子に傾いたときに、残留した埃が動き、重なる光記録媒体４１の読み取り面４４に傷をつけてしまう場合がある。本願発明によれば、この隙間５２に埃が残留することを防ぐことができるので、重なる光記録媒体４１の読み取り面４４に傷が付くことを防ぐことをより一層防ぐことが可能となる。
【００３８】
【発明の効果】
本願発明の請求項１によれば、保護突起が、保持部の外周側端周よりも外側で、かつ、クランピングエリアの水平方向端外周よりも内側の範囲に設けられているため、光記録媒体を互いに重ね合わせても、保護突起によって、重ねる光記録媒体の読み取り面と重ねられる光記録媒体のクランピングエリアが接触することを防ぐことが可能となり、その結果、クランピングエリアに傷が付くことを防ぐことが可能となるという作用効果を奏する。
【００３９】
また、本願発明の請求項２によれば、保護突起が、保持部の外周側端周とクランピングエリアの水平方向端外周との略中央に設けらているので、製造時において、重なる光記録媒体の読み取り面と重ねられる光記録媒体のクランピングエリアとが重なってしまうことを安定して防ぐことが可能となる。すなわち、製造時において、保護突起が左右に多少ずれてしまう場合も考えられ、例えば、保護突起が情報記録領域側にずれてしまった場合では、光記録媒体を相互に重ねた際に読み取り面と情報記録面が接触してしまい、読み取り面に傷が付いてしまうことも考えられる。したがって、保護突起を保持部の外周側端周とクランピングエリア水平方向端外周の略中央に設けることにより、製造時において少々の誤差により保護突起が左右にずれてしまっても、読み取り面に傷が付くことを防ぐことが可能となるという作用効果を奏する。
【００４０】
また、本願発明の請求項３によれば、保護突起が、保持部の外周側端周の近傍に設けられているため、情報記録領域の開始部において樹脂の特性の変質を少なくすることが可能となる。すなわち、一体形成によって保護突起を設ける際に、保護突起の周辺において樹脂の特性が変質してしまうことが考えられる。その結果、当該部分の複屈折が基準値の１００を超えてしまい、その部分の情報を読み取ることが困難となってしまうことが考えられる。したがって、本願発明の請求項３記載のように、保護突起を情報記録領域よりも遠い部分に設けることによって、情報記録領域の開始部において、樹脂の流れの乱れによる樹脂の特性の変質を少なくすることが可能となるという作用効果を奏する。
【００４１】
更に、本願発明の請求項３によれば、保護突起が、保持部の外周側端周の近傍に設けられているため、光記録媒体を重ねる際に生じる光記録媒体同士のずれによって、重なる光記録媒体の読み取り面と重ねられる光記録媒体の情報記録面とが接触してしまうことを防ぐことが可能となる。すなわち、製造時において光記録媒体を順に重ねてゆく際に、光記録媒体が多少左右にずれることも考えられ、このようにずれてしまうと、重なる光記録媒体の保護突起が、重ねられる光記録媒体のクランピングエリアに接触しなくなってしまい、その結果、読み取り面と情報記録面が接触してしまう場合も考えられる。本願発明の請求項３によれば、保護突起を保持部の外周側端周の近傍に設けているため、左右に多少ずれたとしても、保護突起がクランピングエリアを外れてクランピング以外の部分と接触することを防ぐことができるようになり、その結果、読み取り面やクランピングエリアに傷が付くことを防ぐことが可能となるという作用効果を奏する。
【図面の簡単な説明】
【図１】本願発明の光記録媒体の断面図ある。
【図２】本願発明の光記録媒体のクランピングエリア周辺を拡大した拡大断面図である。
【図３】同じく本願発明の光記録媒体のクランピングエリア周辺を拡大した拡大断面図である。
【図４】本願発明の光記録媒体を相互に重ねた状態を示す断面図である。
【符号の説明】
１…光記録媒体、２…基板、３…貫通孔、４…光記録媒体中心、５…クランピングエリア、６…クランピングエリア水平方向端外周、７…情報記録領域、８…情報記録領域７の開始部、９…保護突起、１０…保護突起９の中心、１１…読み取り用光、１２…基板２の厚さ、１３…クランピングエリア５の厚さ、１４…情報記録面、１５…読み取り面、１６…保持部１８の内周側端周、１７…保持部１８の外周側端周、１８…保持部、１９…保持部の外周側端周１７とクランピングエリア水平方向端外周６との間隔、２０…保護突起９の幅、２１…保護突起９の高さ、２２…保持部の外周側端周１７とクランピングエリア水平方向端外周６との略中央、３０…保護突起、３１…保護突起断面外周上保持部側端点、３２…保護突起３０の幅、３３…保護突起３０の高さ、４１…重なる光記録媒体、４２…重ねられる光記録媒体、４３…情報記録領域、４４…重なる光記録媒体４１の読み取り面、４５…重ねられる光記録媒体の情報記録面、４６…重なる光記録媒体４１の保護突起、４７…重ねられる光記録媒体４２の保護突起、４８…重ねられる光記録媒体４２のクランピングエリア、４９は貫通孔、５０…光記録媒体の中心、５１…クランピングエリアの隙間、５２…情報記録領域の隙間
【図１】
0003671954.tif 000002
【図２】
0003671954.tif 000003
【図３】
0003671954.tif 000004
【図４】
0003671954.tif 000005